【手続補正書】
【提出日】平成19年2月6日(2007.2.6)
【手続補正１】
【補正対象書類名】明細書
【補正対象項目名】特許請求の範囲
【補正方法】変更
【補正の内容】
【特許請求の範囲】
【請求項１】  データ受信装置であって、
放送番組の映像データ、前記放送番組に関連する印刷用データ、及び前記印刷用データの属性を示す印刷付加情報が多重化して送信されたテレビジョン放送データを受信する受信手段と、
前記受信手段により受信されたテレビジョン放送データから前記印刷付加情報を取り出す取得手段と、
前記取得手段で取得された前記印刷付加情報の内容を解析する解析手段と、
前記解析手段で解析された前記印刷付加情報の内容を示す表示データを、前記受信手段により受信された前記テレビジョン放送データに含まれる前記映像データとともに表示部に表示させる表示制御手段とを備えることを特徴とするデータ受信装置。
【請求項２】  前記印刷付加情報は、前記印刷用データを印刷する用紙のサイズを示す情報と、前記印刷用データを印刷する用紙の枚数を示す情報と、前記印刷用データの種別を示す情報と、前記印刷用データが送信される時間を特定するための時間情報のうちの少なくとも一つの情報を含むことを特徴とする請求項１に記載のデータ受信装置。
【請求項３】  さらに、ユーザからの印刷指示を受け付ける受付手段と、
前記受付手段がユーザからの印刷指示を受けたことに応じて、前記受信手段により受信された前記印刷用データを印刷装置へ出力する印刷制御手段とを備え、
前記受付手段は、前記受信手段が前記印刷用データを受信している期間は、ユーザからの印刷指示を受け付け、前記受信手段が前記印刷用データを受信していない期間は、ユーザからの印刷指示を受け付けないことを特徴とする請求項１又は請求項２に記載のデータ受信装置。
【請求項４】 さらに、ユーザからの蓄積指示を受け付ける受付手段と、
前記受付手段がユーザからの蓄積指示を受けたことに応じて、前記印刷用データを蓄積部に蓄積する蓄積制御手段とを備え、
前記受付手段は、前記受信手段が前記印刷用データを受信している期間は、ユーザからの蓄積指示を受け付け、前記受信手段が前記印刷用データを受信していない期間は、ユーザからの蓄積指示を受け付けないことを特徴とする請求項１又は請求項２に記載のデータ受信装置。
【請求項５】  さらに、前記受信手段により受信された前記印刷用データを蓄積する蓄積手段と、
ユーザからの印刷指示を受け付ける受付手段と、
前記受付手段がユーザからの印刷指示を受けたことに応じて、前記蓄積手段に蓄積された前記印刷用データを印刷装置へ出力する印刷制御手段とを備えることを特徴とする請求項１又は請求項２に記載のデータ受信装置。
【請求項６】  前記表示制御手段は、前記印刷付加情報の内容を示す表示データが複数存在する場合は、当該複数の表示データを所定の時間間隔で切り換えて表示部に表示させることを特徴とする請求項１又は請求項２に記載のデータ受信装置。
【請求項７】  データ受信方法であって、
放送番組の映像データ、前記放送番組に関連する印刷用データ、及び前記印刷用データの属性を示す印刷付加情報が多重化して送信されたテレビジョン放送データを受信する受信ステップと、
前記受信ステップで受信されたテレビジョン放送データから前記印刷付加情報を取り出す取得ステップと、
前記取得ステップで取得された前記印刷付加情報の内容を解析する解析ステップと、
前記解析ステップで解析された前記印刷付加情報の内容を示す表示データを、前記受信ステップで受信された前記テレビジョン放送データに含まれる前記映像データとともに表示部に表示させる表示制御ステップとを有することを特徴とするデータ受信方法。
【請求項８】  前記印刷付加情報は、前記印刷用データを印刷する用紙のサイズを示す情報と、前記印刷用データを印刷する用紙の枚数を示す情報と、前記印刷用データの種別を示す情報と、前記印刷用データが送信される時間を特定するための時間情報のうちの少なくとも一つの情報を含むことを特徴とする請求項７に記載のデータ受信方法。
【請求項９】 さらに、ユーザからの印刷指示を受け付ける受付ステップと、
前記受付ステップでユーザからの印刷指示を受けたことに応じて、前記受信ステップで受信された前記印刷用データを印刷装置へ出力する印刷制御ステップとを有し、
前記受信ステップで前記印刷用データを受信している期間は、前記受付ステップでユーザからの印刷指示を受け付け、前記受信ステップで前記印刷用データを受信していない期間は、前記受付ステップでユーザからの印刷指示を受け付けないことを特徴とする請求項７又は請求項８に記載のデータ受信方法。
【請求項１０】  さらに、ユーザからの蓄積指示を受け付ける受付ステップと、
前記受付ステップでユーザからの蓄積指示を受けたことに応じて、前記印刷用データを蓄積手段に蓄積する蓄積制御ステップとを有し、
前記受信ステップで前記印刷用データを受信している期間は、前記受付ステップでユーザからの蓄積指示を受け付け、前記受信ステップで前記印刷用データを受信していない期間は、前記受付ステップでユーザからの蓄積指示を受け付けないことを特徴とする請求項７又は請求項８に記載のデータ受信方法。
【請求項１１】  さらに、前記受信ステップで受信された前記印刷用データを蓄積する蓄積ステップと、
ユーザからの印刷指示を受け付ける受付ステップと、
前記受付ステップでユーザからの印刷指示を受けたことに応じて、前記蓄積手段に蓄積された前記印刷用データを印刷装置へ出力する印刷制御ステップとを有することを特徴とする請求項７又は請求項８に記載のデータ受信方法。
【請求項１２】  前記表示制御ステップにおいて、前記印刷付加情報の内容を示す表示データが複数存在する場合は、当該複数の表示データを所定の時間間隔で切り換えて表示部に表示させることを特徴とする請求項７又は請求項８に記載のデータ受信方法。
【請求項１３】  請求項７から請求項１２までのいずれか１項に記載のデータ受信方法をコンピュータに実行させるためのプログラムを記憶したコンピュータ読取可能な記憶媒体。
【手続補正２】
【補正対象書類名】明細書
【補正対象項目名】００１３
【補正方法】変更
【補正の内容】
【００１３】
【課題を解決するための手段】
上記目的を達成するため、本願発明に係るデータ受信装置は、放送番組の映像データ、放送番組に関連する印刷用データ、及び印刷用データの属性を示す印刷付加情報が多重化して送信されたテレビジョン放送データを受信する受信手段と、受信手段により受信されたテレビジョン放送データから印刷付加情報を取り出す取得手段と、取得手段で取得された印刷付加情報の内容を解析する解析手段と、解析手段で解析された印刷付加情報の内容を示す表示データを、受信手段により受信されたテレビジョン放送データに含まれる映像データとともに表示部に表示させる表示制御手段とを備えることを特徴とする。
【手続補正３】
【補正対象書類名】明細書
【補正対象項目名】００１４
【補正方法】変更
【補正の内容】
【００１４】
また、本願発明に係るデータ受信方法は、放送番組の映像データ、放送番組に関連する印刷用データ、及び印刷用データの属性を示す印刷付加情報が多重化して送信されたテレビジョン放送データを受信する受信ステップと、受信ステップで受信されたテレビジョン放送データから印刷付加情報を取り出す取得ステップと、取得ステップで取得された印刷付加情報の内容を解析する解析ステップと、解析ステップで解析された印刷付加情報の内容を示す表示データを、受信ステップで受信されたテレビジョン放送データに含まれる映像データとともに表示部に表示させる表示制御ステップとを有することを特徴とする。
【手続補正４】
【補正対象書類名】明細書
【補正対象項目名】００１５
【補正方法】変更
【補正の内容】
【００１５】
また、本願発明に係る記憶媒体は、上記データ受信方法の動作をコンピュータに実行させるためのプログラムを記憶したコンピュータ読取可能な記憶媒体であることを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００５５
【補正方法】削除
【補正の内容】
【手続補正４５】
【補正対象書類名】明細書
【補正対象項目名】００５６
【補正方法】削除
【補正の内容】
【手続補正４６】
【補正対象書類名】明細書
【補正対象項目名】００５７
【補正方法】削除
【補正の内容】
【手続補正４７】
【補正対象書類名】明細書
【補正対象項目名】００５８
【補正方法】削除
【補正の内容】
【手続補正４８】
【補正対象書類名】明細書
【補正対象項目名】００５９
【補正方法】削除
【補正の内容】
【手続補正４９】
【補正対象書類名】明細書
【補正対象項目名】００６０
【補正方法】削除
【補正の内容】
【手続補正５０】
【補正対象書類名】明細書
【補正対象項目名】００６１
【補正方法】削除
【補正の内容】
【手続補正５１】
【補正対象書類名】明細書
【補正対象項目名】００６２
【補正方法】削除
【補正の内容】
【手続補正５２】
【補正対象書類名】明細書
【補正対象項目名】００６３
【補正方法】削除
【補正の内容】
【手続補正５３】
【補正対象書類名】明細書
【補正対象項目名】００６４
【補正方法】削除
【補正の内容】
【手続補正５４】
【補正対象書類名】明細書
【補正対象項目名】００６５
【補正方法】削除
【補正の内容】
【手続補正５５】
【補正対象書類名】明細書
【補正対象項目名】００６６
【補正方法】削除
【補正の内容】
【手続補正５６】
【補正対象書類名】明細書
【補正対象項目名】００６７
【補正方法】削除
【補正の内容】
【手続補正５７】
【補正対象書類名】明細書
【補正対象項目名】００６８
【補正方法】削除
【補正の内容】
【手続補正５８】
【補正対象書類名】明細書
【補正対象項目名】００６９
【補正方法】削除
【補正の内容】
【手続補正５９】
【補正対象書類名】明細書
【補正対象項目名】００７０
【補正方法】削除
【補正の内容】
【手続補正６０】
【補正対象書類名】明細書
【補正対象項目名】００７１
【補正方法】削除
【補正の内容】
【手続補正６１】
【補正対象書類名】明細書
【補正対象項目名】００７２
【補正方法】削除
【補正の内容】
【手続補正６２】
【補正対象書類名】明細書
【補正対象項目名】００７３
【補正方法】削除
【補正の内容】
【手続補正６３】
【補正対象書類名】明細書
【補正対象項目名】００７４
【補正方法】削除
【補正の内容】
【手続補正６４】
【補正対象書類名】明細書
【補正対象項目名】００７５
【補正方法】削除
【補正の内容】
【手続補正６５】
【補正対象書類名】明細書
【補正対象項目名】００７６
【補正方法】削除
【補正の内容】
【手続補正６６】
【補正対象書類名】明細書
【補正対象項目名】００７９
【補正方法】変更
【補正の内容】
【００７９】
上記構成を動作と共に詳述すると、デジタルテレビ受信装置１００において、不図示のアンテナにより受信された信号は、チューナ部１０１に入力される。（ここで、不図示のアンテナ及びチューナ部１０１は受信手段に相当する。）チューナ部１０１は、入力された信号に対して、復調、誤り訂正等の処理を施し、トランスポートストリームと呼ばれる形式のデジタルデータを生成する。更に、生成したトランスポートストリーム（TS）データをデスクランブラ１０２に出力する。
【手続補正６７】
【補正対象書類名】明細書
【補正対象項目名】００８２
【補正方法】変更
【補正の内容】
【００８２】
デマルチプレクサ１０３は、このPIDを読み取ることで、TSデータの中から必要な映像データD１、音声データD２、ＥＰＧ／データ放送／プリントコンテンツデータD３の各データを含むTSパケットの識別、取り出しを行う。また、デマルチプレクサ１０３は、TSデータに含まれるPAT（Program Association Table）を取り出し、取得したPATをバス１２０を介しＣＰＵ１１８に送出する（ここで、デマルチプレクサ１０３は、取得手段に相当する）。
【手続補正６８】
【補正対象書類名】明細書
【補正対象項目名】００９１
【補正方法】変更
【補正の内容】
【００９１】
先ず、映像データD１について説明する。ビデオデコーダ１０４は、デマルチプレクサ１０３より入力された映像データD１に対して、MPEG２のデコード処理を施し、復号した映像データを表示制御部１０９に出力する。表示制御部１０９は、ビデオデコーダ１０４もしくはリモコン１１６の操作に応じて画面を切り替えたり、多重したりすることにより、画像表示部１１２に表示させる。（ここで、表示制御部１０９は表示制御手段に相当する。）画面構成部１０８については後述する。また、画像表示部１１２は、不図示のモニタ及び映像信号入力端子を含む。
【手続補正６９】
【補正対象書類名】明細書
【補正対象項目名】０１０４
【補正方法】変更
【補正の内容】
【０１０４】
デマルチプレクサ１０３は、TSデータに含まれる現在視聴中のチャンネルに係るPMT（Program Map Table）を取得する。取得したPMTは、上述の通り、バス１２０を介しＣＰＵ１１８に取り込まれる。ＣＰＵ１１８は、取り込んだPMTのセクションシンタックス解析を行い、プリントコンテンツデータが現在視聴中の番組に付随して伝送されているかどうかの判別を行う（ここで、ＣＰＵ１１８は、解析手段に相当する）。その判別は、ＣＰＵ１１８において、上記図３で示したPMTにおける(6)のプリントコンテンツデータに関する記述があるかどうかで判別を行うこととしている。以下、上記図３の(6)についての説明を行う。
【手続補正７０】
【補正対象書類名】明細書
【補正対象項目名】０１０６
【補正方法】変更
【補正の内容】
【０１０６】
ＣＰＵ１１８は、上述の如く記述されたPMTの解析を行い、その中にstream＿type = ０x１Dが記述されていれば、現在視聴中の番組に付随するプリントコンテンツデータが存在すると識別し、表示画面上にプリントコンテンツデータの存在を通知する為の表示を行う。また、ＣＰＵ１１８は、上述の如く記述されたＰＭＴの解析を行い、その中にstream＿type = ０x１Dが記述されていなかった場合は、表示画面上に後述のＯＳＤ表示は行わない。
【手続補正７１】
【補正対象書類名】明細書
【補正対象項目名】０１０７
【補正方法】変更
【補正の内容】
【０１０７】
ここで、ＣＰＵ１１８は、画面構成部１０８において、図５及び図６に示す如くプリントコンテンツデータの存在を示す為のOSD（On Screen Display）データを構成し、ＯＳＤデータと番組の映像データとを合成して表示制御部１０９に出力するように各部を制御する。
【手続補正７２】
【補正対象書類名】明細書
【補正対象項目名】０１１９
【補正方法】変更
【補正の内容】
【０１１９】
また、ユーザは、デジタルテレビ受信装置の画像表示部１１２の表示画面上に、上記図５、上記図６の（B）（C）（D）に示したメッセージ４０１、５０１、マーク４０２、５０２、アイコン４０３、５０３が表示されている場合に、上記図４で示したリモコン１１６に装備されているＰボタン３０８を押すことにより、プリントコンテンツデータを印刷することが可能である（ここで、Ｐボタン３０８は、受付手段に相当する）。上述の通り、プリントコンテンツデータはＸＭＬデータ形式でメモリ１０７に記憶されており、その印刷用データ生成処理は、ＣＰＵ１１８において行われる。ＣＰＵ１１８は、メモリ１０７より入力したプリントコンテンツデータをＸＭＬデータ内で指定されたレイアウト、フォント、色で印刷用データ（例えばビットマップデータ）に変換し、１３９４Ｉ／Ｆ１２２を介して、プリンタ１３２に出力する（ここで、１３９４Ｉ／Ｆ１２２及びＣＰＵ１１８は印刷制御手段に相当する）。
【手続補正７３】
【補正対象書類名】明細書
【補正対象項目名】０１２１
【補正方法】変更
【補正の内容】
【０１２１】
また、上記図５、上記図６の（A）の表示状態から、現在受信中のTSデータの中に、プリントコンテンツデータが存在すると識別した場合に、ＣＰＵ１１８において音声データを作成し、ＣＰＵ１１８からバス１２０を介して音声制御部１１０に音声データを送り、音声出力部１１３から「プリントコンテンツ送信中です」等の音声メッセージを出力し、ユーザに通知することも可能である。
【手続補正７４】
【補正対象書類名】明細書
【補正対象項目名】０１４８
【補正方法】変更
【補正の内容】
【０１４８】
更に、例えば、高精彩な画像がプリントコンテンツとして送信されている場合に、その旨をユーザに通知するようにしてもよい。また、上記図１０（A）の表示状態から、現在受信中のTSデータの中に、プリントコンテンツデータが存在すると識別した場合に、ＣＰＵ１１８において音声データを作成し、ＣＰＵ１１８からバス１２０を介して音声制御部１１０に音声データを送り、音声出力部１１３から「プリントコンテンツ送信中です」、「Ａ４サイズの用紙を用意して下さい。」等の音声メッセージを出力し、ユーザに通知することも可能である。
【手続補正７５】
【補正対象書類名】明細書
【補正対象項目名】０１７７
【補正方法】変更
【補正の内容】
【０１７７】
また、上記図１２（A）若しくは上記図１３（Ａ）の表示状態から、現在受信中のTSデータの中に、プリントコンテンツデータが存在すると識別した場合に、ＣＰＵ１１８において音声データを作成し、ＣＰＵ１１８からバス１２０を介して音声制御部１１０に音声データを送り、音声出力部１１３から「プリントコンテンツ送信開始まで１０秒です。」等の音声メッセージを出力し、ユーザに通知することも可能である。